【手続補正書】
【提出日】平成20年3月7日(2008.3.7)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】特許請求の範囲
【補正方法】変更
【補正の内容】
【特許請求の範囲】
【請求項１】  記録装置本体と、用紙入力装置又は用紙出力装置又はその双方の装置と、前記各装置を制御するシステムコントローラとを備えた記録装置において、
前記システムコントローラは、前記各装置において初期駆動が可能である判定した場合に全ての装置に初期駆動を指示し、
前記各装置は、それぞれ前記初期駆動の指示に応じて初期駆動を開始して、該初期駆動中に前記各装置において残留紙を検知し、残留紙を検知したら前記コントローラに残留紙を検知したことを報知し、
前記システムコントローラは、残留紙を検知したことの報知に応じて、全ての装置に緊急停止を指示し、全ての装置の緊急停止後に、前記各装置は、それぞれ自動排紙できるかを判定し、
前記システムコントローラは全ての装置が自動排紙できると判定された場合に、全ての装置に自動排紙を指示することを特徴とする記録装置。
【請求項２】  前記各装置は、それぞれ、初期駆動可能状態にあることを前記システムコントローラに報知する初期駆動可能状態報知手段と、前記システムコントローラからの初期駆動の指示に応じて初期駆動を行う初期駆動手段と、搬送路上に設けられた用紙検知手段と、前記初期駆動処理中に前記用紙検知手段によって機内残留紙が確認された場合、前記システムコントローラに対して機内残留紙の存在を報知する機内残留紙報知手段と、機内残留紙の装置外排出動作を実行できる状態であることを前記システムコントローラに報知する自動排紙可能状態報知手段と、前記システムコントローラからの指示に応じて自動排紙動作を実行する自動排紙手段と、前記システムコントローラからの指示に応じて用紙搬送機構を全て停止する緊急停止手段とを備え、
前記システムコントローラは、前記各装置の全てから初期駆動可能状態の報知を受けてから各装置に対して初期駆動を指示する初期駆動指示手段と、前記各装置の何れかから機内残留紙の存在を報知された場合に前記記録装置を構成する全装置に対して緊急停止指示を出した後に各装置の全てから自動排紙可能状態の報知を受けてから各装置に対して自動排紙を指示する初期残留紙検知，自動排紙手段とを有することを特徴とする請求項１に記載の記録装置。
【請求項３】  前記各装置は、それぞれ、初期駆動可能状態にあることを前記システムコントローラに報知する初期駆動可能状態報知手段と、前記システムコントローラからの初期駆動の指示に応じて初期駆動を行う初期駆動手段と、搬送路上に設けられた用紙検知手段と、前記初期駆動処理中に前記用紙検知手段によって機内残留紙が確認された場合、自動排紙可能かどうかを判断する残留紙排出可能判断手段と、排出可能な残留紙を検知した場合に前記システムコントローラに対して排紙可能残留紙ありを報知する手段と、排出不可能な残留紙を検知した場合に前記システムコントローラに対して用紙ジャム状態を報知する手段と、用紙ジャム状態でない場合で自動排紙を実行できる状態であることを前記システムコントローラに報知する自動排紙可能状態報知手段と、前記システムコントローラからの指示に応じて自動排紙動作を実行する自動排紙手段と、前記システムコントローラからの指示に応じて用紙搬送機構を全て停止する緊急停止手段とを有し、
前記システムコントローラは、前記各装置の全てから初期駆動可能状態の報知を受けてから各装置に対して初期駆動を指示する初期駆動指示手段と、前記各装置の何れかから用紙ジャム状態を報知された場合に外部に報知するジャム報知手段と、前記各装置の何れかから排紙可能残留紙の存在を報知された場合に記録装置を構成する全装置に対して緊急停止指示を出した後に各装置の全てから自動排紙可能状態の報知を受けてから各装置に対して自動排紙を指示する初期残留紙検知，自動排紙手段とを有することを特徴とする請求項１に記載の記録装置。
【手続補正３】
【補正対象書類名】明細書
【補正対象項目名】０００８
【補正方法】変更
【補正の内容】
【０００８】
本発明は，このような状況のもとでなされたもので、複数の装置の組み合わせで構成される記録装置における初期残留紙チェック，自動排紙動作を円滑に行える記録装置を提供することを課題とするものである。
【手続補正４】
【補正対象書類名】明細書
【補正対象項目名】０００９
【補正方法】変更
【補正の内容】
【０００９】
【課題を解決するための手段】
前記課題を解決するために、本発明においては、記録装置を次の（１）ないし（３）のとおりに構成する。
（１）記録装置本体と、用紙入力装置又は用紙出力装置又はその双方の装置と、前記各装置を制御するシステムコントローラとを備えた記録装置において、
前記システムコントローラは、前記各装置において初期駆動が可能である判定した場合に全ての装置に初期駆動を指示し、
前記各装置は、それぞれ前記初期駆動の指示に応じて初期駆動を開始して、該初期駆動中に前記各装置において残留紙を検知し、残留紙を検知したら前記コントローラに残留紙を検知したことを報知し、
前記システムコントローラは、残留紙を検知したことの報知に応じて、全ての装置に緊急停止を指示し、全ての装置の緊急停止後に、前記各装置は、それぞれ自動排紙できるかを判定し、
前記システムコントローラは全ての装置が自動排紙できると判定された場合に、全ての装置に自動排紙を指示する記録装置。
（２）前記各装置は、それぞれ、初期駆動可能状態にあることを前記システムコントローラに報知する初期駆動可能状態報知手段と、前記システムコントローラからの初期駆動の指示に応じて初期駆動を行う初期駆動手段と、搬送路上に設けられた用紙検知手段と、前記初期駆動処理中に前記用紙検知手段によって機内残留紙が確認された場合、前記システムコントローラに対して機内残留紙の存在を報知する機内残留紙報知手段と、機内残留紙の装置外排出動作を実行できる状態であることを前記システムコントローラに報知する自動排紙可能状態報知手段と、前記システムコントローラからの指示に応じて自動排紙動作を実行する自動排紙手段と、前記システムコントローラからの指示に応じて用紙搬送機構を全て停止する緊急停止手段とを備え、
前記システムコントローラは、前記各装置の全てから初期駆動可能状態の報知を受けてから各装置に対して初期駆動を指示する初期駆動指示手段と、前記各装置の何れかから機内残留紙の存在を報知された場合に前記記録装置を構成する全装置に対して緊急停止指示を出した後に各装置の全てから自動排紙可能状態の報知を受けてから各装置に対して自動排紙を指示する初期残留紙検知，自動排紙手段とを有する前記（１）に記載の記録装置。
（３）前記各装置は、それぞれ、初期駆動可能状態にあることを前記システムコントローラに報知する初期駆動可能状態報知手段と、前記システムコントローラからの初期駆動の指示に応じて初期駆動を行う初期駆動手段と、搬送路上に設けられた用紙検知手段と、前記初期駆動処理中に前記用紙検知手段によって機内残留紙が確認された場合、自動排紙可能かどうかを判断する残留紙排出可能判断手段と、排出可能な残留紙を検知した場合に前記システムコントローラに対して排紙可能残留紙ありを報知する手段と、排出不可能な残留紙を検知した場合に前記システムコントローラに対して用紙ジャム状態を報知する手段と、用紙ジャム状態でない場合で自動排紙を実行できる状態であることを前記システムコントローラに報知する自動排紙可能状態報知手段と、前記システムコントローラからの指示に応じて自動排紙動作を実行する自動排紙手段と、前記システムコントローラからの指示に応じて用紙搬送機構を全て停止する緊急停止手段とを有し、
前記システムコントローラは、前記各装置の全てから初期駆動可能状態の報知を受けてから各装置に対して初期駆動を指示する初期駆動指示手段と、前記各装置の何れかから用紙ジャム状態を報知された場合に外部に報知するジャム報知手段と、前記各装置の何れかから排紙可能残留紙の存在を報知された場合に記録装置を構成する全装置に対して緊急停止指示を出した後に各装置の全てから自動排紙可能状態の報知を受けてから各装置に対して自動排紙を指示する初期残留紙検知，自動排紙手段とを有する前記（１）に記載の記録装置。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】